(57)【特許請求の範囲】
【請求項１】
マトリクス状に配置された表示画素群と、
前記表示画素群に走査信号線を介して走査信号を出力する第１の駆動回路と、
前記表示画素群に映像信号線を介して映像信号を出力する第２の駆動回路と、
を備えたアクティブマトリクス型の表示装置であって、
前記第１及び第２の少なくとも一方の駆動回路は、入力するクロック信号に基づいて動作する複数の駆動段を有し、
前記駆動段を少なくとも２以上選択する選択手段を備え、
前記駆動段は、該駆動段を順次選択するためのデータをシフトするシフトレジスタ回路と、該シフトレジスタ回路から出力された前記データが入力するバッファ回路とを有し、
前記選択手段は、前記シフトレジスタ回路とバッファ回路との間に設けられており、
前記選択手段によって２以上の駆動段を選択した場合に、前記シフトレジスタ回路に供給するクロック信号を停止させ、且つ前記選択されたバッファ回路から走査信号を出力するように動作させる
ことを特徴とする表示装置。
【請求項２】
マトリクス状に配置された表示画素群と、
前記表示画素群に走査信号線を介して走査信号を出力する第１の駆動回路と、
前記表示画素群に映像信号線を介して映像信号を出力する第２の駆動回路と、
を備えたアクティブマトリクス型の表示装置であって、
前記第１及び第２の少なくとも一方の駆動回路は、入力するクロック信号に基づいて動作する複数の駆動段を有し、
前記駆動段を少なくとも２以上選択する選択手段を備え、
前記駆動段は、該駆動段を順次選択するためのデータをシフトするシフトレジスタ回路と、該シフトレジスタ回路から出力された前記データが入力するバッファ回路とを有し、
前記選択手段は、前記シフトレジスタ回路とバッファ回路との間に設けられており、
前記選択手段によって２以上の駆動段を選択した場合に、前記シフトレジスタ回路に供給するクロック信号を停止させ、且つ前記選択されたバッファ回路から走査信号を出力するように動作させる機能を有する
ことを特徴とする表示装置。
【請求項３】
前記選択手段によって同時に選択される駆動段に繋がる表示画素群の電位を、予め決められた表示レベルに対応した電位に設定する手段を備えた
ことを特徴とする請求項１又は請求項２に記載の表示装置。
【請求項４】
前記表示装置は液晶表示装置であって、
前記予め決められた表示レベルは白レベルである
ことを特徴とする請求項３に記載の表示装置。
【請求項５】
前記選択手段は、選択情報を保持する不揮発性の保持手段を有する
ことを特徴とする請求項１又は請求項２に記載の表示装置。
【発明の詳細な説明】
【０００１】
【発明の属する技術分野】
本発明は、表示装置、特に携帯電話等の移動体機器用の表示装置に関する。
【０００２】
【従来の技術】
液晶表示装置に代表される平面型表示装置は、薄型、軽量、低消費電力等の特徴を生かして、携帯電話をはじめとして多くの移動体機器に搭載されている。携帯電話等の急速な発展につれて、このような表示装置には高画質化や低消費電力化の要求が高まってきている。現在、高画質化に対しては、単純マトリクス型からアクティブマトリクス型の液晶表示装置に移行することで対応しようとしているが、アクティブマトリクス型の液晶表示装置は、単純マトリクス型の液晶表示装置よりも消費電力が多く、そのため使用時間が減少することが問題になっている。
【０００３】
携帯電話における表示画面は、通話を行う通話画面、機能設定を行う操作画面、到来電波を待ち受ける待ち受け画面、情報サービス画面等がある。このうち待ち受け画面では、到来電波の受信強度を示すアイコン（ピクトアイコン）や時計等のみを表示すればよい。そのため、単純マトリクス型の液晶表示装置では、待ち受け画面においてピクトアイコンのみを部分的に表示することで走査数を下げ、駆動電圧を低くして省電力化をはかっている（例えば、特開平１１−２５１２７７号）。
【０００４】
しかしながら、アクティブマトリクス型の液晶表示装置では、単に走査信号線をオフ状態にするだけでは、オフ／オン時に瞬間的に発生する電位によって異常な表示になったり、走査信号線をオフ状態にしても映像信号線は常時駆動しているために異常な表示になったりする。そのため、全表示画素について走査、書き込み、保持という動作を行う必要があり、ピクトアイコンだけを表示することはできない。
【０００５】
また、特開平７−１１４８６２号では、アクティブマトリクス型の移動体用表示装置において、ブランキング期間にクロック停止を行うという提案がなされている。しかしながら、ブランキング期間は表示期間に対して１／４０程度であるため、十分な低消費電力化をはかることは困難である。
【０００６】
【発明が解決しようとする課題】
このように、携帯電話等の移動体機器用の表示装置では、高画質化等の観点からアクティブマトリクス型の表示装置の使用が望まれているが、従来のアクティブマトリクス型の表示装置では、例えば表示画面の一部のみに表示を行えばよい場合でも、表示画面全体に対して表示信号の書き込みを行う等の無駄が多く、そのため消費電力を十分に低減することが困難であった。
【０００７】
本発明は上記従来の課題に対してなされたものであり、消費電力を効果的に低減することが可能なアクティブマトリクス型の表示装置を提供することを目的としている。
【０００８】
【課題を解決するための手段】
本発明に係る表示装置は、マトリクス状に配置された表示画素群と、前記表示画素群に走査信号線を介して走査信号を出力する第１の駆動回路と、前記表示画素群に映像信号線を介して映像信号を出力する第２の駆動回路と、を備えたアクティブマトリクス型の表示装置であって、前記第１及び第２の少なくとも一方の駆動回路は、入力するクロック信号に基づいて動作する複数の駆動段を有し、前記駆動段を少なくとも２以上選択する選択手段を備え、前記駆動段は、該駆動段を順次選択するためのデータをシフトするシフトレジスタ回路と、該シフトレジスタ回路から出力された前記データが入力するバッファ回路とを有し、前記選択手段は、前記シフトレジスタ回路とバッファ回路との間に設けられており、前記選択手段によって２以上の駆動段を選択した場合に、前記シフトレジスタ回路に供給するクロック信号を停止させ、且つ前記選択されたバッファ回路から走査信号を出力するように動作させることを特徴とする。
【００１１】
【発明の実施の形態】
以下、本発明の実施形態を図面を参照して説明する。
【００１２】
（実施形態１）
図１は、本発明の第１の実施形態に係る移動体用のアクティブマトリクス型液晶表示装置の構成例を示したものである。
【００１３】
本表示装置は、大きく分けて、複数の表示画素１１からなる表示画素群１０と、表示画素群１０に走査信号を供給する走査信号駆動回路３０と、表示画素群１０に映像信号を供給する映像信号駆動回路４０と、これらの駆動回路に所定の信号を供給するための制御回路５０とで構成されている。
【００１４】
各表示画素１１は、一般的なアクティブマトリクス型液晶表示装置と同様、薄膜トランジスタ（ＴＦＴ）等のスイッチング素子１２、画素電極１３、補助容量１４等からなる。各表示画素１１は走査信号線２１及び映像信号線２２の交点に配置されており、各走査信号線２１は同一行に配列された各スイッチング素子１２に、各映像信号線２２は同一列に配列された各スイッチング素子１２に接続されている。また、各補助容量１４には補助容量給電線２３が接続されている。なお、本例では表示画素群１０の画素数は３２０×２４０ドットとする。
【００１５】
走査信号駆動回路３０は、シフトレジスタ３１、アナログバッファ３２及び複数の走査信号線２１を同時に選択するための同時選択回路３３等で構成され、基本的にはシフトレジスタ３１からのシフトパルスをアナログバッファ３２で昇圧した走査信号が走査信号線２１に供給される。
【００１６】
映像信号駆動回路４０は、シフトレジスタ４１、バッファ４２、極性反転制御を受けた映像信号が供給される信号線４３、シフトパルスによって映像信号電位をホールド容量４５に供給するアナログスイッチ４４等で構成され、アナログスイッチ４４及びホールド容量４５によってサンプリング及びホールドされた電位が映像信号線２２に供給される。
【００１７】
制御回路５０は、走査信号駆動回路３０及び映像信号駆動回路４０を制御するものであり、映像信号駆動回路４０制御用の信号としてスタートパルスＸ−ＳＴＡＲＴ、クロック信号Ｘ−ＣＬＫ、極性信号ｐｏｌ及び映像信号Ｖｉｄｅｏが、走査信号駆動回路３０制御用の信号としてスタートパルスＹ−ＳＴＡＲＴ及びクロック信号Ｙ−ＣＬＫが入力され、さらに後述するようにクロック停止信号ＣＬＫ−ＳＴＰ及び選択信号ｓｅｌが入力される。
【００１８】
図１に示すように、本実施形態では、走査信号駆動回路３０に同時選択回路３３が設けられており、一つのシフトパルスを複数のアナログバッファ３２に出力して複数の走査信号線２１を同時に選択できるようになっている。この同時選択回路３３は、シフトレジスタ３１とアナログバッファ３２の間に設けられ、個々のシフトレジスタ段から次段のアナログバッファにシフトパルスを伝達する分岐回路の集合によって構成されている。分岐回路は、制御回路５０を介して走査信号駆動回路３０に入力する選択信号ｓｅｌによって一斉に選択される。
【００１９】
例えば、シフトレジスタのｎ段目から同時選択回路３３を設けた場合、ｎ段目以降のアナログバッファはｎ段目のシフトパルスで同時に複数の走査線を選択することになる。このｎ段目の同時走査以降、表示画素群は次のフレームの開始タイミングまで保持動作によって表示を行う。つまり、このような同時走査により、ｎ段目から最終段目（本例では２４０段目）までの表示期間では、保持のための信号以外は必要なくなる。
【００２０】
このように、同時選択回路３３を設けることにより、同時選択回路３３をオフ状態にした場合には全画面が１ラインずつ順次走査される通常表示モードとなり、同時選択回路３３をオン状態にした場合には不要な信号を停止させることで消費電力が低減される省電力表示モードとなる。
【００２１】
同時選択回路３３を設けた場合、二つの問題点が発生し得る。第１の問題は、ｎ段目以降の画素を同時に書き込む場合に、映像信号線、走査信号線及び画素に対して電位の書き込み不足が発生することであり、第２の問題は、最終段になるにしたがってアナログバッファのシフトパルスが同時選択回路内の負荷によって遅延することである。
【００２２】
本実施形態では、上述したような問題を回避するため、ｎ段目以降の各画素に映像信号線から書き込む電位を、予め決められた表示レベルに対応した所定の電位、具体的には白レベルに対応する電位にしている。このようにｎ段目〜２４０段目の書き込み信号を白レベルにすることにより、書き込み不足は視覚上問題が生じることなく数フレーム後には解消される。また、シフトパルスに遅延が発生しても、ｎ段目〜２４０段目の画素にはいずれも白レベルが書き込まれるため、このようなシフトパルスの遅延も視覚上問題にならない。なお、白レベルの設定は、制御回路５０に入力する映像信号Ｖｉｄｅｏを白レベルに対応した信号に変えることで行えばよい。
【００２３】
図２は、本実施形態の表示装置における１フレーム期間のタイミングチャートを示したものである。図２では、映像信号駆動回路４０に対するクロック信号Ｘ−ＣＬＫ、走査信号駆動回路３０に対するクロック信号Ｙ−ＣＬＫ、これらのクロック信号を停止させるクロック停止信号ＣＬＫ−ＳＴＰ、走査信号線２１を走査する走査信号（図では、１段目、２段目及びｎ段目の走査信号を示している）、映像信号駆動回路４０から出力される映像信号（フレーム毎に電位５Ｖを中心に反転する）、表示画素１１の画素電位を示している。
【００２４】
このように、本例では、ｎ段目の同時選択走査の後に、クロック信号Ｘ−ＣＬＫ及びＹ−ＣＬＫをともに停止している。このクロック停止は、ブランキング期間を経て次のフレームの開始のタイミングまで続く。本例では、走査信号駆動回路３０及び映像信号駆動回路４０ともに、シフトレジスタをＣＭＯＳのクロックドインバータで構成しているが、クロック停止期間ではこれらのＣＭＯＳ部での貫通電流がなくなる。駆動回路部での電流消費がＬＣＤ全体の電流消費の例えば７０％程度を占めているため、ｎ／２４０×７０％程度の消費電力を低減することが可能である。なお、クロック停止は、少なくとも走査信号駆動回路に対して行えばよい。
【００２５】
以上述べたように、本実施形態では、選択信号によって複数の走査信号線を同時に選択するとともに、同時選択後のクロック信号を停止させるようにするので、例えば携帯電話の待ち受け画面等の最小限の表示のみを行えばよい場合に、このような機能を適用することで、消費電力を大幅に低減することができる。また、同時選択によって選択された画素に対して、例えば白レベル等の予め決められた表示レベルに対応した電位を供給することで、書き込み不足やシフトパルスの遅延による問題を回避することが可能となる。
【００２６】
（実施形態２）
上述した第１の実施形態では同時選択回路を設ける位置が予め固定されていたが、本実施形態では、同時選択回路に不揮発性メモリを設けることで同時選択の開始位置を可変にできるようにしている。なお、基本的な構成は第１の実施形態と同様であり、それらの詳細な説明は省略する。以下、図３〜図６を参照して本実施形態の説明を行う。
【００２７】
図３は、本実施形態における走査信号駆動回路の構成の一部を示した図である。不揮発性メモリ６１は、スイッチ６２を介してシフトレジスタ６５から書き込まれたデータを保持するためのものであり、不揮発性メモリ６１に書き込まれたデータは、スイッチ６３を切り替えることでバッファ６４を介してバッファ６６に供給されるようになっている。
【００２８】
図４〜図６は、本実施形態の動作を説明するための図である。図４は全画面を１ラインずつ順次走査する通常表示モードについて、図５は省電力表示モード（同時選択走査及びクロック停止を行って消費電力の低減をはかるモード）の設定前に行われる書き込みモードについて、図６は省電力表示モードについて示したものである。また、各図（ａ）は各モードにおいてシフトレジスタに供給される信号を、各図（ｂ）は各モードにおけるスイッチの状態を示したものであり、ここではｎ−１段目から最終段までについて示している。
【００２９】
図４は、通常表示モードにおける動作を示したものである。通常表示モードでは、各スイッチ６２は走査信号線を駆動するバッファ６６側に、各スイッチ６３は不揮発性メモリ６１側となっており、シフトレジスタ６５によってシフトパルスが順次シフトされ、バッファ６６から走査信号線に走査信号が順次出力される。図では、ｎ段目が走査されている状態を示している。
【００３０】
図５は、書き込みモードにおける動作を示したものである。書き込みモードでは、省電力表示モードの１フレーム前の期間において、同時走査する各走査信号線につながる各不揮発性メモリ６１に対してシフトレジスタ６５からハイレベル（Ｈレベル）の信号が書き込まれる。図では、ｎ段目から最終段までを同時走査する場合の例を示しており、ｎ段目から最終段−１段目の不揮発性メモリ６１に対してＨレベルの信号が書き込まれる。本モードの具体的な動作について以下に説明する。
【００３１】
まず、同時走査する段数に応じたＨレベル信号（書き込み信号）をシフトレジスタ６５によって順次シフトする。Ｈレベル信号が最終段−１段目までシフトした後、図に示すように、各スイッチ６２を不揮発性メモリ６１側に切り替えることで、Ｈレベル信号をｎ段目から最終段−１段目の不揮発性メモリ６１に書き込む。これにより、ｎ段目から最終段−１段目のスイッチ６３をオン状態に設定する。なお、この書き込みモードにおいては、走査信号線を駆動するバッファ６６をオフ状態にしておく必要がある。その方法としては、バッファ６６の電源電圧を落としておいてもよいし、バッファ６６をオフさせる回路を設けておいてもよい。
【００３２】
図６は、書き込みモードに続く省電力表示モードの動作を示したものである。この省電力表示モードでは、不揮発性メモリ６１に書き込まれたデータによってｎ段目から最終段−１段目のスイッチ６３がオン状態となっている。したがって、ｎ−１段目までは、シフトレジスタ６５によってシフトパルスが順次シフトされてバッファ６６から走査信号線に走査信号が順次出力されるが、シフトパルスがｎ段目までシフトしたときにｎ段目から最終段−１段目のバッファ６４を介してシフトパルスが最終段まで伝達され、ｎ段目から最終段までの走査信号線を駆動するバッファ６６からは走査信号が出力されて同時走査が行われる。なお、同時走査後に、走査信号駆動回路及び映像信号駆動回路へのクロック信号を停止させることは、第１の実施形態と同様である。
【００３３】
以上のようにして、通常表示モード、書き込みモード及び省電力表示モードが実行さるが、省電力表示モードから通常表示モードに戻す場合には、上述した処理と逆の処理を行えばよい。すなわち、通常表示モードに戻す１フレーム前の期間において、各不揮発性メモリ６１に対してローレベル（Ｌレベル）の信号を書き込むようにすればよい。
【００３４】
以上のように、本実施形態では、第１の実施形態と同様に消費電力の低減効果が得られることはもちろん、同時選択される走査信号線の開始位置を可変にすることができるため、第１の実施形態に比べて表示状態の設定に対する自由度を上げることができる。また、省電力表示モードにおける各走査段（駆動段）の駆動モード（動作モード）の設定、すなわち他の走査段と異なるタイミングで順次走査される（通常駆動モード）か或いは他の走査段と同時に走査される（同時選択駆動モード）かの設定（不揮発性メモリへの設定）は、シフトレジスタを用いて行われる。したがって、通常のシフトパルスのシフト動作と上記モード設定動作の双方に対してシフトレジスタを共用化することができ、消費電力の低減とともに回路規模の増加を抑えることも可能となる。
【００３５】
（実施形態３）
上述した第２の実施形態では同時選択の開始位置のみが変更可能であったが、本実施形態は任意の走査信号線を同時選択することを可能とするものである。なお、基本的な構成は第１の実施形態と同様であり、それらの詳細な説明は省略する。
【００３６】
以下、図７及び図８を参照して本実施形態の説明を行う。なお、本実施形態では、第２の実施形態における書き込みモード及び省電力表示モードに対応するモードを、それぞれプリスチルモード及びスチルモードと呼ぶことにする。
【００３７】
図７は、本実施形態における走査信号駆動回路の１段分の構成例を示した図である。
【００３８】
各段は、通常駆動を行うか同時選択駆動を行うかの情報が設定されるでデジタルメモリ（不揮発性メモリ）７１、シフトレジスタのデータ保持部７２、デジタルメモリ７１からの出力信号／Ｘ（通常駆動の場合に／ＸはＨレベル）によって制御されるトランジスタ７３及び７４、デジタルメモリ７１からの出力信号Ｘ（同時選択駆動の場合にＸはＨレベル）によって制御されシフト／セレクト信号が入力するトランジスタ７５、ノーマル信号によって制御されるトランジスタ７６、／Ｘ信号によって制御されるトランジスタ７７、プリスチル信号によって制御されるトランジスタ７８、Ｘ信号によって制御されスチルオン信号が入力するトランジスタ７９、さらにバッファ８０及び８１によって構成されている。
【００３９】
シフト／セレクト信号は、シフトパルスとして用いられる他、プリスチルモード時にはデジタルメモリ７１に同時選択駆動モードを設定するために用いられる。ノーマル信号は、通常駆動（／ＸがＨレベル）状態においてシフトレジスタの出力を走査信号線につながるバッファ８１に伝達させるための信号として用いられる。プリスチル信号は、プリスチルモード時においてシフトレジスタの各段の情報をデジタルメモリ７１に設定するために用いられ、スチルオン信号は、スチルモード時において同時選択走査される各走査信号線をＨレベルにするために用いられる。
【００４０】
以下、本実施形態の動作を図８（ａ）〜図８（ｄ）に示したタイミングチャートを用いて説明する。
【００４１】
図８（ａ）は、通常表示モード時における動作を示したものである。本モードでは、ノーマル信号はＨレベルであり、デジタルメモリ７１の出力／ＸがＨレベルであるため、トランジスタ７６及び７７がともにオン状態となり、シフトレジスタからはシフトパルス（シフト／セレクト信号）がトランジスタ７６及び７７を介してアナログバッファ８１に伝達される。その結果、各走査段からは１ライン毎に順次走査信号が走査信号線に送られる。
【００４２】
図８（ｂ）は、プリスチルモード時において同時選択駆動モードが設定される走査段の動作を示したものである。なお、図８（ｂ）では、シフト／セレクトで示した信号は、図７に示したシフト／セレクト信号そのものではなく、シフト／セレクト信号に応じてトランジスタ７８から出力される信号（図７のＣ点の信号）を示している。
【００４３】
プリスチルモードでは、１フレーム期間において、各走査段のデジタルメモリ７１に駆動モードの書き込みが行われる。すなわち、同時選択駆動（スチル動作）を行う走査段についてはデジタルメモリ７１に“１”（Ｈレベル）が書き込まれ、通常駆動（ノーマル動作）を行う走査段については“０”（Ｌレベル）が書き込まれる。具体的には、まず各走査段の駆動モードに対応した情報（１又は０）がシフト／セレクト信号としてシフトレジスタで順次シフトされ、最終的にシフトレジスタの保持部７２に保持される。そして、１フレームの最後のタイミングでプリスチル信号をオンさせることで、各保持部７２に保持されている情報がデジタルメモリ７１に書き込まれる。本モードでは、ノーマル信号がＬレベルであり、スチルオン信号もＬレベルであるため、図７のＡ点の信号はＬレベルに保持され、表示画素への書き込み動作は行われず、その前のフレームで各画素に書き込まれた電圧が各画素に保持される。
【００４４】
図８（ｃ）は、プリスチルモードに続くスチルモードにおいて、同時選択駆動が行われる走査段の動作を示したものである。デジタルメモリ７１に“０”（Ｌレベル）が書き込まれている走査段、すなわち通常駆動モードが設定されている走査段では、デジタルメモリ７１の出力／ＸがＨレベルであるため、トランジスタ７３、７４及び７７がオン状態となり、シフトパルスがトランジスタ７７及びバッファ８１等を介して走査信号線に送られる。これに対して、デジタルメモリ７１に“１”（Ｈレベル）が書き込まれている走査段、すなわち同時選択駆動モードが設定されている走査段では、図８（ｃ）に示すように、デジタルメモリ７１の出力／ＸがＬレベルで出力ＸがＨレベルであるため、トランジスタ７３及び７４オフ状態で、トランジスタ７５がオン状態となり、シフトパルスはトランジスタ７５を介してそのままＢ点に伝達される。
【００４５】
図８（ｄ）は、スチルモードにおいて、同時選択駆動が行われる走査段の１フレーム期間の最後のタイミングにおける動作を示したものである。すなわち、同時選択駆動が行われる各走査段では、トランジスタ７９を介してスチルオン信号（Ｈレベル）がＡ点に伝達され、さらにバッファ８１を介して走査信号線に出力される。また、このタイミングで、映像信号線には例えば白レベルの信号を出力するようにする。
【００４６】
上述した説明からわかるように、スチルモードにおいては、通常駆動モードが設定されている走査段では、通常の駆動にしたがって所定の情報が表示され、同時選択駆動モードが設定されている走査段では、１フレームの最後の期間で一斉に走査が行われ、例えば白表示が行われる。
【００４７】
以上のように、本実施形態では、第１の実施形態と同様に消費電力の低減効果が得られることはもちろん、同時選択を行う走査信号線を任意に設定できるため、第２の実施形態よりもさらに自由度の高い表示設定が可能となる。また、第２の実施形態と同様、同時選択を行う走査信号線の設定をシフトレジスタを用いて行うため、シフトレジスタの共用化によって回路規模の増加を抑えることも可能となる。
【００４８】
また、同時選択を行う走査信号線を任意に設定できることから、以下の効果を得ることができる。第１に、同時走査を行う走査信号線を移動できるため、同じ領域を長時間使用することによって生じる液晶表示装置の焼き付き現象を防止することができる。すなわち、液晶や配向膜等の化学的な焼き付きはもちろん、ＴＦＴのＶｔｈ特性のシフトといった物理的な焼き付きも防止することができる。また、本方法を有機ＥＬ型の素子に適用した場合、同じ素子を連続使用することによって生じる輝度低下曲線のシフトによる焼き付き現象にも対応することが可能である。第２に、同時走査を行う走査信号線を移動できるため、表示画面の下部のみならず、上部或いは中間部等にも同時走査を適用することができる。したがって、携帯電話の待ち受け画面のみならず、例えば操作画面等にも本方法を適用することが可能となる。
【００４９】
（実施形態４）
次に、本発明の第４の実施形態について、図９を参照して説明する。
【００５０】
本実施形態では、液晶表示装置本体１０１（表示領域１０２、走査信号駆動回路１０３、映像信号駆動回路１０４及び制御回路１０５からなる）に画像情報（映像信号）を供給するフレームメモリ１１１の他、フレームメモリ１１１に保持された画像情報よりも前のフレームの画像情報を保持するフレームメモリ１１２を有している。フレームメモリ１１１及びフレームメモリ１１２の画像情報は差分検出部１１３に送られ、フレーム間の差分が検出される。差分検出部１１３で検出された差分情報は情報入手部１１４に送られ、液晶表示装置本体１０１の制御に必要な情報が入手される。制御回路１０５では、情報入手部１１４からの情報に基づき、差分検出がなされた走査段（すなわち、画像情報に変化が生じた走査段）に対してのみ選択的に書き換え処理を行うようにする。
【００５１】
上述した選択的な書き換えに対しては、走査信号駆動回路１０３に例えば第３の実施形態で示した走査信号駆動回路と同様の構成を採用すればよい。すなわち、図７に示したデジタルメモリ７１に対し、書き換えを行う走査段には“０”（Ｌレベル）を設定し、書き換えを行わない走査段には“１”（Ｈレベル）を設定する。これにより、第３の実施形態で説明した動作と同様に、書き換えを行う走査段については通常と同様に順次走査によって各画素に映像信号が書き込まれ、書き換えを行わない走査段については順次走査は行われない。ただし、第３の実施形態では、１フレームの最後にトランジスタ７９をオンさせてスチルオン信号を走査信号線に供給するようにしたが、本実施形態では、書き換えを行わない走査段については前のフレームの表示を保持しておくため、このようなスチルオン信号を供給する動作は行われない。なお、選択的な書き換えに対しては、上述したようなシフトレジスタタイプの走査信号駆動回路ではなく、デコード型の走査信号駆動回路を用いることも可能である。
【００５２】
なお、書き換え処理が行われない画素では保持動作にて画像情報を維持することになるが、数フレーム分の保持動作が可能であるように予めＴＦＴ等の画素構成要素を設計しておけばよい。また、書き込み動作が保持動作可能な期間よりも長い期間行われないような場合には、所定期間毎に書き込みを行うリフレッシュ動作を行うようにしてもよい。さらに、強誘電性液晶のようにメモリ効果がある液晶を用いた場合には、このようなリフレッシュ処理は不要となる。
【００５３】
以上のように、本実施形態では、差分が検出された走査段についてのみ書き換え処理を行うため、第１〜第３の実施形態と同様に、消費電力を大幅に低減することが可能となる。
【００５４】
なお、以上の第１〜第４の実施形態では、同時選択処理や書き換えしない処理について、走査信号駆動回路を対象に説明したが、映像信号駆動回路に対しても同様に適用可能である。例えば図１からわかるように、走査信号駆動回路３０では、シフトレジスタ３１とバッファ３２との間に同時選択回路３３が設けられている。一方、映像信号駆動回路４０にも、シフトレジスタ４１とバッファ４２が設けられている。したがって、映像信号駆動回路に対しても、このようなシフトレジスタとバッファとの間に、走査信号駆動回路と同様の同時選択回路等を設けることで、第１〜第４の実施形態で述べたような同時選択処理や書き換えしない処理を適用することが可能である。この場合、クロック停止は少なくとも映像信号駆動回路に対して行えばよい。また、このような処理を走査信号駆動回路及び映像信号駆動回路の両者に対して適用することも勿論可能である。
【００５５】
また、以上の第１〜第４の実施形態では、液晶表示装置を例に説明したが、例えば有機ＥＬ型の表示装置等、電位の保持動作により表示を行うタイプの表示装置に対しては、上述した手法は同様に適用可能である。
【００５６】
以上、本発明の実施形態を説明したが、本発明は上記実施形態に限定されるものではなく、その趣旨を逸脱しない範囲内において種々変形して実施することが可能である。さらに、上記実施形態には種々の段階の発明が含まれており、開示された構成要件を適宜組み合わせることによって種々の発明が抽出され得る。例えば、開示された構成要件からいくつかの構成要件が削除されても、所定の効果が得られるものであれば発明として抽出され得る。
【００５７】
【発明の効果】
本発明によれば、アクティブマトリクス型の表示装置の消費電力を効果的に低減することが可能となり、例えば携帯電話等の移動体機器用の表示装置に適用した場合に使用時間を大幅に増大させることが可能となる。
【図面の簡単な説明】
【図１】本発明の第１の実施形態に係る液晶表示装置の構成例を示した図。
【図２】本発明の第１の実施形態に係る液晶表示装置の動作例を示したタイミングチャート。
【図３】本発明の第２の実施形態に係る液晶表示装置の構成例の一部を示した図。
【図４】本発明の第２の実施形態に係る液晶表示装置の動作例を説明するための図。
【図５】本発明の第２の実施形態に係る液晶表示装置の動作例を説明するための図。
【図６】本発明の第２の実施形態に係る液晶表示装置の動作例を説明するための図。
【図７】本発明の第３の実施形態に係る液晶表示装置の構成例の一部を示した図。
【図８】本発明の第３の実施形態に係る液晶表示装置の動作例を示したタイミングチャート。
【図９】本発明の第４の実施形態に係る液晶表示装置の構成例を示したブロック図。
【符号の説明】
１０…表示画素群        １１…表示画素
１２…スイッチング素子        １３…画素電極
１４…補助容量
２１…走査信号線        ２２…映像信号線
２３…補助容量給電線
３０…走査信号駆動回路        ３１…シフトレジスタ
３２…アナログバッファ        ３３…同時選択回路
４０…映像信号駆動回路        ４１…シフトレジスタ
４２…バッファ        ４３…信号線
４４…アナログスイッチ        ４５…ホールド容量
５０…制御回路
６１…不揮発性メモリ        ６２、６３…スイッチ
６４、６６…バッファ        ６５…シフトレジスタ
７１…デジタルメモリ        ７２…シフトレジスタのデータ保持部
７３〜７９…トランジスタ        ８０、８１…バッファ
１０１…液晶表示装置本体        １０２…表示領域
１０３…走査信号駆動回路        １０４…映像信号駆動回路
１０５…制御回路        １１１、１１２…フレームメモリ
１１３…差分検出部        １１４…情報入手部
【図１】
0004040866.tif 000002
【図２】
0004040866.tif 000003
【図３】
0004040866.tif 000004
【図４】
0004040866.tif 000005
【図５】
0004040866.tif 000006
【図６】
0004040866.tif 000007
【図７】
0004040866.tif 000008
【図８】
0004040866.tif 000009
【図９】
0004040866.tif 000010